(57)【要約】      （修正有）【課題】小型のモータによって質量の大きい役物を正方向及び逆方向に高速で移動させることができる反転運動機構を提供する。【解決手段】反転運動機構は、モータによって正逆両方向に回転できる駆動回転体５と、この駆動回転体５と同軸に軸支された揺動部材２と、これらの駆動回転体５と揺動部材２との間に懸架され、駆動回転体５により付勢されるねじりコイルばね９と、揺動部材２を所定位置にロックするロック爪１７と、駆動回転体５上に形成されたカム状のロック爪１７の解除手段とからなる。ねじりコイルばね９を付勢した状態でロック爪１７を解除することにより、揺動部材２をねじりコイルばね９によって高速で正逆両方向に揺動させることができる。【選択図】図４
2014057778.tif 000002
【特許請求の範囲】
【請求項１】
モータによって正逆両方向に回転できる駆動回転体と、
この駆動回転体と同軸に軸支された揺動部材と、
これらの駆動回転体と揺動部材との間に懸架され、駆動回転体により付勢されるねじりコイルばねと、
揺動部材を所定位置にロックするロック爪と、
前記駆動回転体上に形成されたロック爪の解除手段とからなり、
ねじりコイルばねを付勢した状態でロック爪を解除することにより、揺動部材をねじりコイルばねによって揺動させることを特徴とする反転運動機構。
【請求項２】
前記ロック爪の解除手段が、カムであることを特徴とする請求項１記載の反転運動機構。
【発明の詳細な説明】
【技術分野】
【０００１】
本発明は、パチンコ遊技台の盤面に配置された役物を高速で昇降させたり揺動させたりするために適した反転運動機構に関するものである。
【背景技術】
【０００２】
パチンコ遊技台の盤面には各種の役物が配置されており、昇降あるいは揺動運動を行うことによって大当たり状態への期待を高めるものがある。
【０００３】
このような可動式の役物は軽量小型であればその駆動は容易であるが、最近では発光装置を搭載するなど重量が増加しており、また大型化する傾向がある。このため遊技盤に組み込める小型のモータによっては低速でしか動かすことができず、興趣に欠けるという問題がある。
【０００４】
そこで特許文献１に示すように低速で上昇させておいた役物を落下させることにより下向きの移動速度を高めた運動機構が提案されている。しかしこの運動機構は重力を利用するものであるため、高速で上昇させることはできなかった。また上下方向の運動に限られており、左右方向に高速移動させることもできなかった。
【先行技術文献】
【特許文献】
【０００５】
【特許文献１】特開２００７−３１２９０１号公報
【発明の概要】
【発明が解決しようとする課題】
【０００６】
従って本発明の目的は、遊技盤に組み込める小型のモータによって質量の大きい役物を正方向及び逆方向に高速で移動させることができる反転運動機構を提供することである。
【課題を解決するための手段】
【０００７】
上記の課題を解決するためになされた本発明の反転運動機構は、
モータによって正逆両方向に回転できる駆動回転体と、
この駆動回転体と同軸に軸支された揺動部材と、
これらの駆動回転体と揺動部材との間に懸架され、駆動回転体により付勢されるねじりコイルばねと、
揺動部材を所定位置にロックするロック爪と、
前記駆動回転体上に形成されたロック爪の解除手段とからなり、
ねじりコイルばねを付勢した状態でロック爪を解除することにより、揺動部材をねじりコイルばねによって揺動させる
ことを特徴とするものである。
【０００８】
なお請求項２のように、前記ロック爪の解除手段をカムとすることが好ましい。
【発明の効果】
【０００９】
本発明の反転運動機構は、揺動部材をロック爪によってロックした状態でモータによって駆動回転体を低速で回転させ、ねじりコイルばねに弾性エネルギを徐々に蓄積したうえ、駆動回転体上に形成されたロック爪の解除手段によってロック爪を解除することにより、揺動部材をねじりコイルばねによって揺動させる。ねじりコイルばねの能力を適切に設定しておけば、質量の大きい揺動部材をも高速で動かすことができる。またその動作は正方向と逆方向に交互に行わせることができる。
【図面の簡単な説明】
【００１０】
【図１】本発明の実施形態を示す全体斜視図である。
【図２】本発明の実施形態を示す背面斜視図である。
【図３】内部構造を示す分解斜視図である。
【図４】初期状態を示す作動説明図である。
【図５】回転駆動体の回転開始状態を示す作動説明図である。
【図６】ねじりコイルばねを付勢した状態を示す作動説明図である。
【図７】ロック爪を外した瞬間を示す作動説明図である。
【図８】揺動部材の揺動途中の状態を示す作動説明図である。
【図９】揺動部材が反転位置に達した状態を示す作動説明図である。
【図１０】逆転開始状態を示す作動説明図である。
【図１１】ロック爪を外した瞬間を示す作動説明図である。
【図１２】揺動部材が反転中の状態を示す作動説明図である。
【発明を実施するための形態】
【００１１】
以下に本発明の実施形態を説明する。
図１、図２は本発明の実施形態を示す全体斜視図であり、１はケース、２は基部をケース１の内部に軸支された揺動部材である。ケース１の開口部の両側にはストッパ３，３が形成され、揺動部材２の揺動角度を規制している。揺動部材２はそれ自体の装飾を付して役物として使用することができ、あるいは他の役物の駆動用レバーとして使用することもできる。また、揺動部材２はレバー形状に限定されず、ギヤやプーリー等であってもよい。
【００１２】
図３に示されるように、揺動部材２の基部は軸４によってケース２に揺動自在に軸支されているが、この軸４と同軸上に駆動回転体５も軸支されている。この実施形態では駆動回転体５は歯車６を備え、モータ７、中間歯車８によって正逆両方向に回転できるようになっている。
【００１３】
この駆動回転体５と揺動部材２との間には、ねじりコイルばね９が懸架されている。このねじりコイルばね９は揺動部材２の円筒軸１０に回転可能に支持されており、外側に突出した２つの端部１１、１２を備えている。そして揺動部材２の基部にはこれらの端部１１、１２の間に延びる突片１３が突設されている。また、駆動回転体５にもこれらの端部１１、１２の間に延びる駆動用突片１４が突設されている。ねじりコイルばね９はこれらの突片１３と駆動用突片１４とによって作動するが、その作動手順については後述する。
【００１４】
揺動部材２の基部の外周は円弧状の突出部１５を備え、その両側に段状の係合部１６、１６が形成されている。１７はその近傍に設けられたロック爪である。このロック爪１７は軸１８を中心として揺動するもので、ばね１９によって突出部１３の方向に付勢されているが、ロック爪１７の解除手段によって後退させることができる。本発明ではロック爪の解除手段は駆動回転体５に形成されたカム２０であり、以下に説明するように駆動回転体５が所定角度まで回転したときにロック爪１７を係合部１６から解除できる構造となっている。
【００１５】
なお、２１は駆動回転体５の回転角度を検出するためのフォトセンサである。
【００１６】
次に本発明の反転運動機構の動きについて説明する。
先ず図４のようにロック爪１７を揺動部材２の係合部１６に係合させ、揺動部材２をストッパ３に当てた初期位置にロックする。このときねじりコイルばね９の端部１１は駆動回転体５の駆動用突片１４の左端に接しており、他方の端部１２は揺動部材２の突片１３の右端に接している。
【００１７】
図４の状態からモータ７により駆動回転体５を時計方向に回転させると、図５のように駆動用突片１４がねじりコイルばね９の端部１２を右方向に移動させる。ねじりコイルばね９の端部１１は揺動部材２の突出部１３に当るが、揺動部材２はロックされているため動かない。この状態からさらに図６のように駆動回転体５を回転させ、ねじりコイルばね９を押し広げて十分に弾性エネルギを蓄積する。なおこの動作は時間を掛けて行えばよいため、モータ７が小型であっても支障なく行うことができる。
【００１８】
駆動回転体５が図７の位置まで回転すると、駆動回転体５に形成されたカム２０の片側の斜面がロック爪１７を下方に押し下げ、ロックを外す。上記のようにねじりコイルばね９の端部１１は揺動部材２の突出部１３に当っており、ねじりコイルばね９には端部１１、１２を近付ける方向に付勢されているため、揺動部材２は図８のように急速に時計方向に揺動し、右側のストッパ３に当る図９の反転位置で停止する。このように、ロック爪７が外れた瞬間に揺動部材２はねじりコイルばね９に蓄積された弾性エネルギによって瞬時に揺動するため、パチンコ台の盤面に適用すれば役物を高速移動させることができる。
【００１９】
その後、図９のようにロック爪１７を反対側の係合部１６に係合させて揺動部材２を反転位置にロックしたうえ、モータ７を反転させて駆動回転体５を逆方向に回転させれば、図１０のように駆動用突片１４がねじりコイルばね９の端部１１を反時計方向に動かし、コイルばね９の端部１２は揺動部材２の突出部１３に当った位置に停止し、図１１のように再びコイルばね９に弾性エネルギが蓄積される。
【００２０】
図１１の位置まで駆動回転体５が回転すると、駆動回転体５に形成されたカム２０の反対側の斜面によってロック爪１７が解除される。その瞬間、揺動部材２は図１１の反転位置から図１２に示すように左方向に高速移動し、図４に示した初期位置まで瞬時に復帰する。このようにして本発明の反転運動機構は、質量の大きい揺動部材２をも高速で正方向及び逆方向に揺動させることができる。
【００２１】
以上に説明したように、本発明によれば、遊技盤に組み込める小型のモータ７によって質量の大きい役物を正方向や逆方向に高速で移動させることができる利点がある。
【符号の説明】
【００２２】
１  ケース
２  揺動部材
３  ストッパ
４  軸
５  駆動回転体
６  歯車
７  モータ
８  中間歯車
９  ねじりコイルばね
１０  円筒軸
１１  端部
１２  端部
１３  突片
１４  駆動用突片
１５  突出部
１６  係合部
１７  ロック爪
１８  軸
１９  ばね
２０  カム
２１  フォトセンサ
【図１】
2014057778.tif 000003
【図２】
2014057778.tif 000004
【図３】
2014057778.tif 000005
【図４】
2014057778.tif 000006
【図５】
2014057778.tif 000007
【図６】
2014057778.tif 000008
【図７】
2014057778.tif 000009
【図８】
2014057778.tif 000010
【図９】
2014057778.tif 000011
【図１０】
2014057778.tif 000012
【図１１】
2014057778.tif 000013
【図１２】
2014057778.tif 000014